(57)【要約】【課題】簡易な構成で有効に機能するペット用の防災装置を安価にして提供することにある。【解決手段】矩形板でなり互いに上下に離して設けられる底板および天板と、前記底板および天板の４つのコーナーに対応する上下間に設けられる複数本の支柱と、前記支柱の上下を相手側である底板および天板に連結する止着具とを有し、前記底板上には、ペット居住体が取り付けられるようになっている。【選択図】図１４
2007268283.tif 000002
【特許請求の範囲】
【請求項１】
矩形板でなり互いに上下に離して設けられる底板および天板と、前記底板および天板の４つのコーナーに対応する上下間に設けられる複数本の支柱と、前記支柱の上下を相手側である底板および天板に連結する止着具とを有し、前記底板上には、ペット居住体が取り付けられるようになっている防災装置。
【請求項２】
請求項１に記載の防災装置において、底板および天板の双方には、支柱の取付位置を変更可能な調節用孔が各コーナーにおける内外方向に向くように配列されている防災装置。
【請求項３】
請求項１または２に記載の防災装置において、天板上には緩衝手段が設けられている防災装置。
【発明の詳細な説明】
【発明の詳細な説明】
【技術分野】
【０００１】  この発明は、地震や洪水などの災害に対する防災装置に関する。
【背景技術】
【０００２】  例えば、地震による家屋の倒壊等の非常事態には安全性を確保しておく必要がある。このことは生き物であるペットにとっても同様である。
【発明が解決しようとする課題】
【０００３】  ところで、こうした事態に対応し得る有効なペット用の防災装置はこれまで提案されていない。
【０００４】  この発明は前記課題を解決するためになされたもので、簡易な構成で有効に機能するペット用の防災装置を安価にして提供できるようにすることを目的とする。
【課題を解決するための手段】
【０００５】  前記課題を解決するため、請求項１記載の発明は、矩形板でなり互いに上下に離して設けられる底板および天板と、前記底板および天板の４つのコーナーに対応する上下間に設けられる複数本の支柱と、前記支柱の上下を相手側である底板および天板に連結する止着具とを有し、前記底板上には、ペット居住体が取り付けられるようになっている。
請求項２記載の発明は、請求項１に記載の防災装置において、底板および天板の双方には、支柱の取付位置を変更可能な調節用孔が各コーナーにおける内外方向に向くように配列されている。
請求項３記載の発明は、請求項１または２に記載の防災装置において、天板上には緩衝手段が設けられている。
【発明を実施するための最良の形態】
【０００６】  以下、図示した実施形態を参照してこの発明を詳細に説明する。
図１は付加的な例で、座２９０上に脚２９１を立設したものを対向配置し、その間に受けパイプ２９２を渡すとともに、その上にガードレール２９３を固定して簡易ベンチを構成したもので、そのままガードレール２９３下域が避難空間になるようにしたことを特徴とするものである。【０００７】  図２は対向する脚２９５上に受けパイプ２９６を渡架し、その上にガードレール２９７を載置してベンチとして機能する他非常時には図示のような避難空間を提供するものとして機能するようにしたものである。尚、適宜に緩衝手段２９８を介装して家屋の床上での設置も可能にしている。非常に簡易な構造のものであるが、強度と粘りのあるガードレールにより有効に地震災害から人を護ることができるものとなる。ガードレール２９７と脚２９５とは上下に結合することもある。ガードレール２９７は上下あるいは側面に複数枚載置あるいは結合することもある。上下にレールを配す場合、互いを背中合わせにすることもできる。この方式は他の実施形態にも例えば、ベッドＢの上にレールを載置・固定することで実施することもある。【０００８】  図３の実施形態は、量産品で安価であり非常に軽量でありながら粘りを伴う強度を兼ね備えた仮設機材を多用して防護空間を形成できる一方邪魔にならない広い通常スペースを提供することもできる折り畳み式枠体構造に関する。３００は平面コの字形（前後の部分のみあるいはＬ形部分のみでもよいしコの字形全体が存在しないものでもよい）底フレームで、同フレーム３００のコーナーには支柱３０１が立設され、同支柱３０１にはヒンジ３０２を介して回転支持板３０３が取り付けられている。【０００９】  両支柱３０１間には、商品番号Ａ−６１１７Ｓである２枚の背枠３０４がジョイント（単管ジョイント等）３０５で連結されて固定されている。一方、各回転支持板３０３には、単管ベース等を利用して同じ商品である開閉枠３０６が水平に回転可能に取り付けられている。開閉枠３０６は敷布団３０７を敷いたままでも開閉可能な高さになっている。尚、この枠体には、適宜に補強材３０８や上ガード材３０９などを付すことでより安全な空間を確保するようにする。【００１０】  図４、図５の実施形態は、ベビーベッド本体３１１についての防護枠構造についての例である。同本体３１１は、従来の木質であるものと金属で強度アップされたもののいずれでもよい（以下同様）。【００１１】  この防護枠は、仮設機材の商品番号Ａ−３０３Ｌ及びＡ−４０４Ｌを適宜脚切り等の追加加工をして寸法や不要部除去等をして仕上げられている。勿論美装処理はなされている他、ゴム等の外装チューブを施すこともできる。３１２は正面枠、３１３は側面枠である。これらを適宜のジョイント３１４…により連結するとともに２本をまとめる管ベース３１５…により安定化を図っている。ベース３１５内あるいは底面には緩衝手段を介装してもよい。勿論他の枠材を使用することもできる。【００１２】  図６は側面枠３１３にジョイント３１４を介して側柱３１７の１対を立設し、これらの上端に回転自在な防護ウイング３１８を備え付けてある。同防護ウイング３１８は、通常はバネ３１９で前方が持ち上がることで頭を打つこともなく、その一方において地震発生時には負荷で下がって防護空間を確保するものである。その場合、上部軸３２０回りにはストッパ３２１が設けられるととともに枠体からも受け材３２２が突設されることで負荷をここで阻止するようになっている。【００１３】  図７は仮設機材を種々活用して簡易型仮設小屋を構成する実施形態を示す。Ｃ１は一般枠体の下部を構成する下部第１枠で、商品番号Ａ−２を使用し、Ｃ２は一般枠体の上部を構成する上部第１枠で、商品番号Ａ−４３０Ｌを使用している。Ｄ１は出入口枠を構成するための下部第２枠で、商品番号Ａ−３０５Ａを使用し、Ｄ２は上部第２枠で商品番号Ａ−３０３Ｌを使用している。各枠の上端細管（差し込みのための管）はカットするとともに、全体は一様な高さになるように脚切り等を施してある。そして、上下間の黒丸で表示する個所は管ジョイントＪにより結合されている。また、枠下端は、隣合う管脚同士を１つにまとめて地盤に固定するため、例えば、図８に示す２本管タイプの専用ベースＰを使用する他、枠上端同士は、図８に示す専用上継手Ｒ１を使用してある。コーナー同士の結合には、Ｌ形に曲がった専用上継手Ｒ２を使用してある。尚、必要に応じて他の枠材を使用することもある。【００１４】  こうした枠組構造の天面には単管とクランプ等により天受け材Ｅを適宜本数架設し、これらに仮想線のようなテントあるいは樹脂シート等でなる主シートＳ１、前シートＳ２、後シートＳ３を適宜止着具を使用して被包する。これらのシートＳ１，Ｓ２，Ｓ３には、出入口３２４や通覧窓３２５…等必要な機能部位を設けてある。主シートＳ１は天面と両側面をもつ門形シートで、天面には上載せ垂れ３２６が形成されるとともに両サイド下端には裾部３２７が設けられて地盤面上に隙間無く載り掛かるようになっている。前記止着具は例えば、内面に設けられた紐であり、これを枠に縛り付けるようにする。【００１５】  前シートＳ２及び後シートＳ３は、上端に枠上に載り掛かって前記上載せ垂れ３２６が載り付けるようになる下敷垂れ３２８が形成されるとともに、下端には裾部３２９が設けられている。３３０…は側部片である。【００１６】  尚、小屋内部には、単管やクランプ、単管ジョイントなどを活用して床枠構造３３１を構築し、その上にベニヤ等の床材を載置固定するようになっている。床枠構造の図の手前側には出入口に通じる室内通路３３２が形成される他、炊事スペース３３３もそれに続いて形成される。また、仮想線で示す３３５は三角屋根枠で、家屋と同様の体裁をなすため並びに雨水の溜まりをなくすために施工されることがある。この屋根枠３３５は、前記各枠の上端に差し込むことで組み付けされる。さらに、出入口３２４に対応して枠Ｄ１には頭を打たないように緩衝手段３３６が設けられている。【００１７】  図８は枠同士の連結構造を具体的に示してある。図９は例えば、枠Ｃ１と枠Ｃ２間を連結ピン（商品番号Ａ−２０）３３８で結合する例を示す。アームロックレスピン（商品番号Ａ−２０Ｓ）その他を使用してもよい。外包パイプをジョイントにしてもよい。【００１８】  図１０は、枠体構造の前後間を内単管３３９で簡易に連結する例を示す。この単管３３９は枠Ｃ１，Ｃ２の外側にくることでシートＳ１への熱影響を少なくする。また、３４０は外単管でシートＳ１を押さえ付けて安定化させるものである。尚、小屋内には、天井枠３４１を利用してハンガー３４２…をぶら下げて衣服や花鉢３４３等を吊り下げるようにしてもよい。単管３３９あるいは外単管３４０はワイヤあるいはロープに代えてもよい。【００１９】  図１１は、仮設機材の例えば、商品番号Ａ−４０３Ｌ等を内組３４３に使用しそれにベニヤ３４４…を外装あるいは内装するとともにシート３４５を内張りにして簡易風呂や水溜めを構成する例を示している。【００２０】  図１２は、図７の組み付け例で、枠Ｃ２にシートＳ２の下敷垂れ３２８を巻き掛けて同枠Ｃ２に備えた紐掛け３４７に下敷垂れ３２８の紐３４８を結んでのち、シートＳ１の上載せ垂れ３２６をその上に載せ付けて砂等を入れる重り３４９で簡易に固定化を図るようにしたものである。【００２１】  図１３は、避難時等に使用可能な非常用トイレについての付加的な例で、仮設機材の例えば、商品番号Ａ−６１１７Ｓ等の簡易建枠３５１を適宜のジョイントやベースを用いて四辺立体に形成し、それに樹脂シート等のトイレ外シート３５２を被せてなる。【００２２】  図１４〜図２８は、犬や猫その他のペットハウスを対象にそれらを地震などの災害から護るようにした各種例を示す。図１４は、子犬用のプラスチック製ペットハウスであるペット居住体Ｐを防護の対象にし防護手段３９９でペットを保護するようにした実施形態を示す。４００は底板、４０１は天板で、共に矩形をした金属板（鋼板やアルミ板など）や木質板、プラスチック板などで造られ、それぞれの各コーナー近くには複数個の調節用孔４０２…が列状に明けられている。この孔４０２は長孔でもよく、底板４００、天板４０１を共通部品とし支柱４０３…の長さ及び位置を変えることで内部スペースを変動自在にするためのもので、これにより、ペット居住体Ｐのもつ平面上の大きさがある程度大小であっても対応できるようになる。尚、支柱４０３はペット居住体Ｐの想定される最大の高さに対応できるように充分に長くしてある。４０４…は止着具である。【００２３】  ４０５ａは両面粘着シートで、底板４００の裏面に粘着されるもので、その底面には、スポンジ、ゴムあるいはバネなどによる緩衝手段４０５が付けられている。この緩衝手段４０５の更に底面に両面粘着シートを付して床面に簡単に粘着できるようにしてもよい。地震時の衝撃でペット居住体Ｐ及び防護手段３９９が飛び上がったりしないようにする緩衝手段４０５は４隅に対応して配備されるが、個数は限定されず、全面に設けてもよい。尚、ペット居住体Ｐは、連結具４０６…と止着具４０４…で底板４００に固定してある。底板４００とペット居住体Ｐとの間には、底板４００と連結具４０６の間および／または連結具４０６とペット居住体Ｐとの間において緩衝手段を介装することがある。また、仮想線で示すように、天板４０１の上面にも緩衝手段を備えてもよい。前記ペット居住体Ｐ以外に以下のいずれのタイプのペット居住体Ｐを対象に前記実施形態を適用してもよい。【００２４】  図１５は、他のペット防護手段４０８を示す。同防護手段４０８は、ペット居住体Ｐの外周をぐるりと包囲するタイプのもので、４０９はアングル形ジョイントで図示のものは共通である。４１０は連結板で、ジョイント４０９間に差し込まれて止着具４１１でジョイント４０９に止め付けられるものである。この連結板４１０は共通の長さのもので殆どのペット居住体Ｐに対応することができるが、特殊なサイズの場合には長さの異なるものを用意する。これらを組み合わせて図１５及び図１６のように四角な枠体でなる防護手段４０８を構成するのであるが、ペット居住体Ｐとの間には緩衝手段４１２…を挟み込み、また、下部の両ジョイント４０９の底面には緩衝手段４１３と両面粘着シート４１４を備えて床面に固定できるようにしてある。尚、仮想線のように、上部ジョイント４０９等の上回りには他の緩衝手段４１５を備えることができる。また、同じく仮想線で示すように、アングル材をジョイント４１６としてもよい。前記ジョイント４０９，４１６及び連結板４１０などの材質は金属、プラスチック等に限定されず、特に合成ゴムを一部品あるいは全部品に使用することもある。前記緩衝手段４１３は図示の１段のもののほか、両面粘着シート等を利用して複数段重ね使用することができるようにしてもよい。これは他の実施形態でも同様に適用できる。また、シート付緩衝手段として構成することもできる。【００２５】  図１６は、ペット居住体Ｐの前後間に１個あるいは複数個の防護手段４０８を配備する実施形態であったが、図１７に示すように、ペット居住体Ｐの全長にわたるように単一の長い防護手段４１７を構成してもよい。【００２６】  図１８は、サークルフェンス型の本格的防護手段４１９の例を示し圧迫感を少なくしてある。この防護手段４１９は六面枠体を構成するもので、材質は前記のように限定ず、パイプを使用してもよい。この防護手段４１９を基本にしてその各開口にフェンス４２０…や扉４２１を配備してある。フェンス４２０…を強度の高いものにし逆に枠体の方をゴム等の緩衝材で構成することもできる。図１８のものには適宜に斜材などの補強を施すことができる。【００２７】  ４２２は緩衝手段でバネでもよく、適宜の面に粘着シートを使用することもできる。また、仮想線のように、天部緩衝手段４２３を備えることもできる。防護手段４１９の支柱などにはアングル材を使用することもできる。【００２８】  図１９は他の実施形態で、市販のサークルフェンス（ジョイントで組み立てるものその他がある）４２５に付加的に防護手段４２６を組み合わせることができるようにしたものである。防護手段４２６は、脚座４２７付で門形に曲げられた本体４２８と、ゴム等の連結具４２９、及び上部緩衝手段４３０とを備える。４３１は下部緩衝手段で粘着シートで固定するようにしてもよい。尚、同本体４２８は、紙面に直交する方向（前後方向）に短いパイプや帯長板などにより複数本で構成されるが、紙面に直交する方向に長い部材でフェンス４２５全体を覆うように構成してもよい。本体４２８の更に上側に緩衝手段を配してもよい。フェンスの周面に圧迫感を与えない程度に緩衝手段を脱着自在に配備してもよい。【００２９】  図２０は、図１８の実施形態のフェンス型に似ているがこの実施形態の場合、本体４３３の開口に別途フェンス材４３４…を止め付けるようにしたものである。このフェン��材４３４は、仮想線のように外付けしてもよいし、内外付けにしてもよい。尚、４３５は座板、４３６は緩衝手段、４３７は粘着シートである。これらの他に適宜外周に緩衝手段を付加することがある。【００３０】  図２１は、既成（あるいは既設）のサークルフェンス４４０の角部に当てがうジョイント４４１…と、これらのジョイント４４１…の上下間を継ぐ支柱４４２…と、天面及び底面においてジョイント４４１…間をＸ字形になるように継ぐ水平連結材４４３…とでなる。これらは後付けするため、各材は図示のようにパンチングメタル製（あるいはエキスパンドメタル製）で止着具４４４…が止め易いようになっている。尚、これにも適宜に緩衝手段、粘着固定手段を付加できる。これらの各材は防護セットとして販売する他、フェンス４４０とともにセットで販売することもある。【００３１】  図２２は、ハウス型のペット居住体Ｐを対象（フェンス型その他の形式でもよい）にしてこれらを折り曲げ可能で粘着可能な共通長さの防護手段４４５…を使用して外周方向及び内外方向にこれらを装備できるように構成したものである。防護手段４４５は、スポンジやゴム等の緩衝手段４４６の一側面に折り曲げて保形性のある例えば、薄い鉛板（粘着シートでもよい）のような背板４４７を備えるもので、例えば、長さが例えば、５０ｃｍや１ｍ等を単位にして幅が前後に２０ｃｍとか適宜寸法のものになっている。【００３２】  この防護手段４４５は、図示しない粘着シートを使用してペット居住体Ｐの外周をできるだけ取り巻くように粘着固定して重ね貼ってゆく。背板４４７は正確に折り曲げが付くので、図示のようにきれいに仕上がる。尚、背板４４７のない場合もある。同防護手段４４５は、図示に直交する方向に貼ることもでき、互いに交差し合うように重ね貼ることもできる。ペット居住体Ｐの内面にこの防護手段４４５を貼ることもできる。これは、他の実施形態にも適用できる。【００３３】  図２３は、緩衝手段４４９の表裏面に粘着シート４５０を貼ったもので、こうしたものを図２２に使用できる。また、同図のように四角なものを単位にしてこれらをペット居住体Ｐに貼り付けるようにしてもよい。また、図２４に示すように、一段と小さい緩衝手段４５２でもよく、さらに、形は図２５に示すようにφ型の緩衝手段４５４にしてもよい。また、図２６に示すように、巻き込み式の緩衝手段４５６にして販売するようにしてもよい。【００３４】  図２７は、各種ペット居住体Ｐの表面は裏面に貼る他の緩衝手段４５８を示し、同手段４５８は、柱状のものになっている。丸形、角形いずれでもよい。４５９は粘着シートである。【００３５】  図２８は、凸部４６１の複数個をシートに備えた緩衝手段４６３を示し、これにも粘着シート４６２を備える。これをペット居住体Ｐに１層あるいは重ね貼りにより適宜に貼り付ける。【００３６】  図２９は他の実施形態を示している。この実施形態は、平常時は内部空間で事務や研究、勉学などをすることができるとともに適宜に就寝をとることも可能である一方、地震等の災害発生時にあっては人命を護るなどの防護機能を確実に発揮するようにしたものである。また、平常時にあっては、車椅子での出入りも簡易に行えるように配慮した���のである。【００３７】  ５００は底フレームで、金属等の帯板により上からみて矩形枠状をした１枚もののフレームにしてもよいが、この実施形態では、運搬や現地組立の便を考慮して分割・現地組立式を採用してある。すなわち、底フレーム５００は、基本的には車椅子が越えるに容易な薄板もので負荷により底抜けが発生しない幅をもたせたもので形成されている。同底フレーム５００は、前後のフレーム５００ａと側部フレーム５００ｂの各１対からなっている。【００３８】  前後のフレーム５００ａは短く、側部フレーム５００ｂはそれより２倍程度長いものになっている。そして、フレーム５００ａ，５００ｂの各端部には短いアンカーボルト５０１…が１対ずつ突設されるとともに、フレーム５００ｂの長手方向中間位置にも複数のアンカーボルト５０１…が突設されている。尚、側部フレーム５００ｂもその長手方向中間を分割・結合方式にしてもよい。また、側部フレーム５００ｂの長手方向中間同士は、仮想線で示すように底抜け防止用の中間フレーム５００ｃで連結してもよい。さらに、底フレーム５００の枠内には底板や他の敷物を敷設してもよい（図３１を参照）。また、前側フレーム５００ａには、帯板の厚み分の段差を容易に乗り越えるため、帯板の幅方向前後に傾斜面（内部空間底面に前記敷設材を設ける場合は入口側のみでよい）を形成することもあり、また、同フレーム５００ａはそのままにして、別途斜面を備えたステップ板を付設するようにしてもよい。【００３９】  ５０２…は基部体である。この基部体５０２は、略四角な金属板（プラスチック等他の材料でもよい）で、アンカーボルト５０１…に対応する複数の孔が明けられた基板５０３と、同基板５０３から立直する金属製で丸パイプ状の基部パイプ５０４とでなる。基板５０３と基部パイプ５０４とは補強材５０５…で強固に一体化されているとともに、基部パイプ５０４には、ボルト等の止め具（キャップ（緩衝機能を有するものが好ましい）５０６で図面上は隠されている）が適宜数装備されている。前記補強材５０５は、基部パイプ５０４よりワンサイズ大きい径のパイプを用いて構成してもよい。【００４０】  そして、前記基部体５０２は、前記アンカーボルト５０１…に基板５０３の孔に差し込みナット５０７…をねじ込むことで固定され、そのあと図示のキャップ５０６…がこれら止着具回りに被冠される。尚、底フレーム５００上に予め基部パイプ５０４…を立設固定しておいてもよい。この場合、底フレーム５００が枠状に一体化されたタイプである場合と前記実施形態のように分割・組立タイプである場合とがある。また、前記実施形態の基板５０３と底フレーム５００との上下間や底フレーム５００の底面には、少なくともいずれか一方に緩衝手段を介装することができる。以上のことは前後の他の各実施形態でも同様に適用できる。さらに、基部パイプ５０４は、四角などの他の形状のパイプでもよいことは勿論である。【００４１】  ５０８は防護フレーム本体である。この防護フレーム本体５０８は、分割フレームで現場組立可能な方式になっており、仮に一部に損傷を受けてもその部分だけを取り替えることで全体を復元可能なものになっている。同本体５０８は、第１フレーム５０９と第２フレーム５１０の２種類のフレーム体の組み合わせからなっている。【００４２】  第１フレーム５０９は前後に２体、第２フレーム５１０はその中間に１体配備されている。第１フレーム５０９は、上端コーナーにＲ部を備えて門形に一体曲げ成形された金属パイプ製の主フレーム５１１と、同フレーム５１１のＲ部から一方向に水平に突き出す連結パイプ５１２とを備える。第２フレーム５１０は、主フレーム５１１の前後両側に連結パイプ５１２，５１２を突き出したものである。【００４３】  各フレーム５０９，５０９，５１０は、基部パイプ５０４…内に主フレーム５１１の脚部を差し込み止着固定される。そして、対向する一方の連結パイプ５１２に予め位置をずらせておいたジョイント５１３…を同軸状に対向する連結パイプ５１２，５１２相互間外周位置までずらせることで両パイプ５１２，５１２を連結するとともにキャップ５０６…で示した止着具で固定をするようになっている。【００４４】  尚、主フレーム５１１は、一体門形をしていたが、支柱とその上端間を継ぐパイプなどの横架材を更に分割・組立式にしてもよい。また、前記実施形態では、連結パイプ５１２を対向させてジョイント５１３で連結するようにしたが、連結パイプ５１２を主フレーム５１１から分離・組立可能に構成してもよい。この場合、主フレーム５１１，５１１間を１本ものの連結パイプ５１２で連結するようにすることがある。さらに、主フレーム５１１は支柱のみとし、後述する天井側のフレームを支柱間の連結役とすることもできる。また、前記ジョイント５１３と連結パイプ５１２との間、連結パイプ５１２相互間など結合個所には緩衝手段を構成することができる。さらに、図に仮想線で示すように、支柱部分や基部パイプ５０４の外周などにはスポンジや軟質ゴムなど緩衝機能を有する外装材５１４…を適宜に装備することができる。また、前記補強材５０５は内部空間に面しない側に設けるとより安全であるし、前記のような外装材を付すことも有効である。【００４５】  ５１６はブラケットで、短パイプとＬ形折り曲げ材とでなり、同ブラケット５１６は、一側に並ぶ主フレーム５１１の支柱回りに下方から嵌め込まれ上下調節可能になっているとともに止着具で適宜高さにおいて固定されるようになっている。【００４６】  同ブラケット５１６…を介してテーブル（机）５１７が設置されている。同テーブル５１７は、金属やプラスチック、木材等が使用され、特にこれらテーブル５１７による場合は補強材となる。しかし、これに限定されることなく、例えば、軟質材を縁部に備えたり、テーブル全体が軟質材でなることもある。これによれば安全性が向上する。【００４７】  このテーブル５１７は、前側（図の左開口側）から車椅子が余裕をもって入り込めるように手前が狭幅で奥にゆくにしたがって所定の事務等ができる程度の広幅になっている。そして、これに関連して、テーブル５１７の下側にはサイドボックス５１８がセットされたり、さらには仮想線のように主フレーム５１１の支柱を利用してパソコン５１９用の載置フレーム５２０をセットしたりする。尚、このテーブル５１７を利用して仮想線のように補強５２１を備えてもよい。さらに、仮想線のように避難用具や救急用具・備品などを収納することもできる補助ボックス５２２を備えてもよい。テーブル５１７は、上あるいは下方向に折り畳み可能に構成してもよい。また、前記狭幅部分のみを平常は折り畳んでおくようにしてもよい。同テーブル５１７は、昇降ガイドに添って上下に昇降可能にしてもよい。【００４８】  また、防護フレーム本体５０８には、平常時の仮眠や本就寝用、地震発生時の避難用としての寝台５２３を構成してある。同寝台５２３は、テーブル５１７に対する椅子を兼ねるもので、平常は２枚に折り畳んで椅子として使用される一方、図示矢印のように上側の１枚を展開すれば１枚の寝台５２３を構成することができるものである。５２４はヒンジであり、５２５は把手孔、５２６は脚部である。尚、寝台５２３の下側の１枚は支柱を利用して固定されているが独自の脚部で移動式あるいは固定式に立設してもよい。５２７はボックスで、本立てや所望の物入れなどとして利用することができる。【００４９】  防護フレーム本体５０８の天井部には、仮想線のような緩衝機能付天井材５２８が付設されるほか、図示しないカーテンが可及的全周に外装される。また、天井面には、仮想線のように各種のロープ類や金属や樹脂などによる網類等による天井防護手段５２９が付設される。【００５０】  尚、他の実施形態でも同様に適用されることではあるが、前記実施形態では６本支柱であったが、４本支柱その他の本数のフレームで構成することもできる。また、前記各部材・部品は、例えば、樹脂パイプ（金属パイプを組み合わせたものも含む）で構成してもよい。これは図３３にその一部例を示してあるように組立式とし、必要により接着剤を使用する。【００５１】  図３０は他の実施形態を示す。この実施形態において、防護フレーム本体５０８、テーブル５１７及び寝台５２３等は図２６に示すものと同じものになっており、只、各基部パイプ５０４内に緩衝手段５３２を装備するとともに、底フレーム５００の下面にも面状の緩衝手段５３３を貼り付けなどにより装備したものになっている。緩衝手段５３３は、１枚状のものでなく分割式になっていてもよい。尚、この実施形態の天井防護手段５３４は、網状になっている。多孔板を使用してもよい。このことは他の各実施形態でも同様に適用できる。【００５２】  図３７は４本あるいは６本等からなる組立式の防護フレーム本体５３６にテーブル５３７を折り畳み式に装備するとともに、寝台５３８を椅子５３９と補助台５４０とで構成し、椅子５３９は固定で補助台５４０を折り畳み式にした実施形態である。尚、５４１はカーテン、５４２は床材であり、天井防護手段５４３はロープを巻き付けて面状に形成したものになっている。このことは他の各実施形態でも同様に適用できる。【００５３】  図３２の実施形態は、底フレーム５４５に防護フレーム本体５４６を装備したもので、テーブル５４７は、主台５４８と補助台５４９の２枚で折り畳み式にし、これらのうち主台５４８を平行リンク５５０の上端に連結して実線状態と仮想線の状態に往復運動可能にし、補助台５４９は主台５４８にヒンジ５５１で連結して止着具５５２で脱着自在にしてある。【００５４】  そして、補助台５４９は、主台５４８とともに揺動可能とし、止着具を外すと仮想線の���うに延びて主台５４８とともに１枚の寝台を構成することができるようになっている。すなわち、テーブル５４７が寝台を兼用している。展開した際はサイドボックス５５３で寝台は受け持たれるとともに止着具５５２…でサイドボックス５５１３に固定化される。椅子５５４は移設可能であり、その軟質座部は仮想線の寝台面よりも高くなっているので、この面がそのまま枕部となる。【００５５】  尚、椅子５５４やサイドボックス５５３に内部収納空間を形成しておいてその内部に必要な寝具を収納しておいて引き出すようにしてもよい。その一方において、椅子５５４やサイドボックス５５３を非常用品や救助用具入れにしてもよいし、これらのためその他のボックスを付設してもよいことは勿論である。また、他の実施形態でも同様に言えることであるが、支柱に補強手段５５５を突っ張り状に付設してもよい。この補強手段５５５はチェーンやリンクチェーンを使用して引っ張るようにしてもよい。【００５６】  図３３の実施形態は、支柱５５７と幅間連結材５５８及び長手間連結材５５９を側ボス付エルボ５６０で全て共通部品として連結するようにしたものである。側ボスのないエルボ、側ボス付エルボ、両側ボス付エルボの３種類のものを使用して組み立てられる。【００５７】  尚、この種のフレームやエルボなどの部品、部材は、プラスチック製（金属パイプ付でもよい）のものが使用されるが金属でもよい。プラスチックである場合は相互を接着する。また、支柱５５７等には、丸棒などの補強材５６１は差し込まれることもあり、仮想線のように塊粒材５６２…や微粒材５６３…、これらの混合物が予めあるいはフレーム組立後に入れられることがある。これが補強になる。【００５８】  図３４の実施形態は、支柱５６５と横架材５６６とをＬ形ジョイント５６７で連結するようにしたもので、その外周には緩衝手段５６８が被せられることがある。【００５９】  図３５の実施形態は、支柱５７０と幅間連結材５７１及び長手間連結材５７２相互間の連結を、ボールジョイント（多角形形のこともある）５７３で全て共通に行うようにしたものである。このジョイント５７３は、金属、プラスチック、ゴム等が使用される他、金属、プラスチック等のパイプが多方向に延びて一体化した内部の芯体とその外周を包囲するゴムやスポンジなどの軟質な緩衝体とで構成することもある。５７４は緩衝手段である。【００６０】  図３６の実施形態は、防護フレーム本体５７６に机５７７を設置組み合わせしたものである。この設置は、底フレーム５７８に固定式あるいは移動可能式にする。防護フレーム本体５７６内にはカーペットや樹脂シート、木板、金属板などの内敷材５７９を敷設して全体が同一面になるようにしてある。尚、５８０は収納ボックス、５８１は他の収納ボックスで本立てでもよく、また、５８２は寝台（または簡易ベッド）で、昇降式になっており、これに非常用品や防災用具を入れるボックスを支持ボックスとして付設してもよい。この寝台５８２は、前記実施形態のような折り畳み式にしてもよい。【００６１】  このタイプの防護フレームは、例えば、『職場（オフィス）シェルター』として利用されるもので、仕事中に地震が発生した場合にも安全を確保できる他、その後��生活も確保できるようにしたものである。その一方において仕事に必要な用具も充分に付設されている。尚、この実施形態の場合もできるだけカーテンを付設する。これは、防音、光防止、電磁波防止などの効果がある他、仕事の集中力を高めることにもなる。【００６２】  また、この実施形態の場合にも、天井や座面などに緩衝手段を構成することができる。さらに、ハンモックを構成できるようにする。この場合、常設である場合とボックス内から取り出すタイプである場合とがある。この実施形態のフレームは、できる限りの組立式を採用する。また、机５７７には車椅子も辿り着ける程の余裕寸法をもって全体を構成する。さらに、寝台５８２もフレームの奥側に水平軸状に備えたヒンジまたはリンクにより前後に折り畳み可能に構成したり、天井面底とその下方との間で昇降可能に構成してもよい。【００６３】  また、同寝台５８２は、緩衝機能を有する天井材（フレーム上に装備する）を、例えば、防護フレーム本体５７６の主フレーム５８３あるいは補助フレーム５８４の軸回りに転回して床面上あるいはフレーム高さ間に設置して構成することができる。さらに、天井材の下側に他の天井材（緩衝機能を有する場合とそうでない場合がある）を装備して地震に有効に対向できるようにし、前記他の天井材を下げて寝台にすることもできる。【００６４】  また、補助フレーム５８４の枠面内に寝台を構成できる板材やクッションを張っておき、必要時にこれを前側に転回して寝台とするように構成することもできる。【００６５】  図３７（平面図）及び図３８の実施形態は、事務用などの複数の机５８６…を防護フレーム本体５８７で一括的に防護するようにしたものである。
尚、図３９は身障者用に開発した防護フレームを示す。６００は折畳み式のワンタッチベット、６０１は非常食糧、飲料、など、６０１は作業机兼シエルター、６０２はカーテン、６０３はカーテンボックス。
【発明の効果】
【００６６】この発明は以上のように、簡易な構成で有効に機能する防災手段を安価にして提供できるようになる。
【図面の簡単な説明】
【図１】ガードレールを利用したベンチ例を示す斜視図。
【図２】同ベンチ例の他の実施形態を示す正面図。
【図３】仮設機材を活用して折り畳み式の防護装置を構成した実施形態を示す斜視図。
【図４】ベビーベッドに防護装置を構成した実施形態を示す正面図。
【図５】図４の側面図。
【図６】ベビーベッドについての他の実施形態を示す側面図。
【図７】仮設機材を活用して仮設小屋を構成した実施形態を示す斜視図。
【図８】枠相互の連結状態を示す斜視図。
【図９】枠上下の連結方法を示す斜視図。
【図１０】仮設小屋の他の実施形態を示す斜視図。
【図１１】仮設機材により簡易風呂等を構成する例を示す斜視図。
【図１２】シート相互の取り合い状況を示す断面図。
【図１３】仮設機材を用いて簡易トイレを構成した例を示す斜視図。
【図１４】ペット居住体の防護手段についての実施形態を示す斜視図。
【図１５】同防護手段の他の実施形態を示す正面図。
【図１６】図１５の防護手段の側面図。
【図１７】図１６の他の実施形態を示す側面図。
【図１８】他の防護手段を示す斜視図。
【図１９】他の防護手段を示す正面図。
【図２０】他の防護手段を示す斜視図。
【図２１】他の防護手段を示す斜視図。
【図２２】他の防護手段を示す正面図。
【図２３】図２２の防護手段の他の実施形態を示す斜視図。
【図２４】他の防護手段を示す斜視図。
【図２５】他の防護手段を示す斜視図。
【図２６】他の防護手段を示す正面図。
【図２７】他の防護手段を示す斜視図。
【図２８】他の防護手段を示す平面図。
【図２９】テーブル（机）内装の実施形態を示す斜視図。
【図３０】テーブル（机）内装の他の実施形態を示す斜視図。
【図３１】テーブル（机）内装の他の実施形態を示す斜視図。
【図３２】テーブル（机）内装の他の実施形態を示す斜視図。
【図３３】防護フレームの連結部分の他の実施形態を示す斜視図。
【図３４】防護フレームの連結部分の他の実施形態を示す斜視図。
【図３５】防護フレームの連結部分の他の実施形態を示す斜視図。
【図３６】机を装備した防護フレームの他の実施形態を示す斜視図。
【図３７】複数の机のための防護フレームの実施形態を示す平面図。
【図３８】図３７の背面図。
【図３９】他の実施形態を示す斜視説明図。
【符号の説明】
４００…底板  ４０１…天板  ４０３…支柱  ４０２…調節用孔  ４０４…止着具  Ｐ…ペット居住体。
【図１】
2007268283.tif 000003
【図２】
2007268283.tif 000004
【図３】
2007268283.tif 000005
【図４】
2007268283.tif 000006
【図５】
2007268283.tif 000007
【図６】
2007268283.tif 000008
【図７】
2007268283.tif 000009
【図８】
2007268283.tif 000010
【図９】
2007268283.tif 000011
【図１０】
2007268283.tif 000012
【図１１】
2007268283.tif 000013
【図１２】
2007268283.tif 000014
【図１３】
2007268283.tif 000015
【図１４】
2007268283.tif 000016
【図１５】
2007268283.tif 000017
【図１６】
2007268283.tif 000018
【図１７】
2007268283.tif 000019
【図１８】
2007268283.tif 000020
【図１９】
2007268283.tif 000021
【図２０】
2007268283.tif 000022
【図２１】
2007268283.tif 000023
【図２２】
2007268283.tif 000024
【図２３】
2007268283.tif 000025
【図２４】
2007268283.tif 000026
【図２５】
2007268283.tif 000027
【図２６】
2007268283.tif 000028
【図２７】
2007268283.tif 000029
【図２８】
2007268283.tif 000030
【図２９】
2007268283.tif 000031
【図３０】
2007268283.tif 000032
【図３１】
2007268283.tif 000033
【図３２】
2007268283.tif 000034
【図３３】
2007268283.tif 000035
【図３４】
2007268283.tif 000036
【図３５】
2007268283.tif 000037
【図３６】
2007268283.tif 000038
【図３７】
2007268283.tif 000039
【図３８】
2007268283.tif 000040
【図３９】
2007268283.tif 000041